(57)【要約】【課題】従来から一般的に用便或いは洗面所等で所用後に備え着けの巻紙器具（ペ−パホルダ−）を使用の際は挿着した巻紙を手動で回し巻紙端片を出したうえで適宜の長さに引き出し器具紙切板を当てがい切り離し使用する。そこで同じ手間を掛けるなれば巻紙器具に器械的装置を配設し巻紙を手回しする事なく巻紙の端片を出して切り離して使用する。【解決手段】本案による巻紙保持具は簡単な歯車機構及び作動板を付設し使用者は必然的に作動板を抑え込むので紙端片が繰り出し任意の長さに切り離し使用することができる。【選択図】図１
2009106717.tif 000002
【特許請求の範囲】
【請求項１】
巻紙保持機器具（１）の左側基盤（３）の内面に突起軸受（４）を形成しその外周に小歯車（８）を所定位置に軸着した環状連かん（５）を挿入し突起軸受（４）との環状空間（６）に渦巻ばね（７）を装入し環状連かん（５）の外側周面の所定位置に支点軸（９）を挿通し左側基盤（３）にけい着した環状連かん（５）を可動に装入し、別個に左端を回動歯車（１２）に右端を傘歯形輪（１１）にその境界を巻紙留板（１３）にした回動歯形連（１０）の回動歯車（１２）を小歯車（８）と歯み合わさず近接に配置し回動芯軸ねじ（１５）を中心軸孔（１４）にさしこみ突起軸受（４）に取り付け配設し、つぎに左側基盤（３）と対面する右側基盤（１６）の所定対象位置に押込軸大穴（１９）を穿設し、別個の巻紙押込連（１７）の押込軸芯（１８）の伸縮ばね穴（２４）に鋼球（２５）をついでＴ形心棒（２６）をさらに伸縮ばね（２７）を装入した押込軸芯（１８）を鍔フランジ（２２）の側端から押込軸大穴（１９）に一旦押し込み、押込軸大穴（１９）に大穴軸受（２１）を装着したうえ引きだし皿取付ねじ（２３）に放物線状皿（２０）を固結形成すれば鍔フランジ（２２）と大穴軸受（２１）の間隙を伸縮ばね（２７）の伸張により所定往復しまた巻紙押込連（１７）は回動、つぎに巻紙保持機器具（１）の左側面と右側基盤（１６）の左側面の水平対象所定位置の主支点軸孔（３７）に架設する主芯軸（３８）に追従紙切板（２９）と連関ばね（３２）と押込回動板（３０）及びその左端に扇状歯形板（３５）を装入し、連関ばね（３２）両端のばね巻込端（３３）下端のバネつる（３４）を追従紙切板（２９）の上面に当てばね巻込端（２３）の上端のバネつる（３４）を押込回動板（３０）の下面に当て追従紙切板（２９）と押込回動板（３０）を仰角に拡張し、押込回動板（３０）の左側端に装入し作動突起穴（３６）で連動する扇状歯形板（３５）の扇状歯形（３９）を環状連かん（５）の小歯車（８）に近接配置し追従紙切板（２９）の巻紙・芯管（２）の巻数減少の追従に関わらず押込回動板（３０）の抑え動作の際に扇状歯形板（３５）の扇状歯形（３９）が小歯車（８）を介して回動歯車（１２）を回動し回動歯形連（１０）と巻紙押込連（１７）に装着した巻紙・芯管（２）を回動し巻紙端片を繰り出し任意の長さにして追従紙切板（２９）で切り離すようにした巻紙保持機器具。
【発明の詳細な説明】
【技術分野】
【０００１】  本発明は、トイレ及び洗面所等所用後に手拭使用する巻紙保持具に関するものである。
【背景技術】
【０００２】  従来からの一般的な巻紙保持具（ペ−パホルダ）に挿着した巻紙を使用する場合には、巻紙先端が保持具の紙切板の先端縁と同一端辺で引き出しにくい、これは前使用者が巻紙先端を手で引っ張りだし紙切板で任意の長さに切り離したままになっているからである。
【発明の開示】
【０００３】  巻紙保持機器具の紙切板の先端縁と重なる巻紙端片を所用の際に手動器械で繰り出す。
【発明が解決しようとする課題】
【０００４】  巻紙保持機器具に巻紙を従来どおり挿着し紙切板と同様に配設した押え板を抑えるごとに歯車器械装置を動作し巻紙端片を繰り出し任意の長さに引張りだし紙切板で切り離す。
【課題を解決するための手段】
【０００５】  巻紙保持機器具の下方より巻紙を挿入し巻紙上縁を追従紙切板の先端縁に当接し、つぎに右側基盤の巻紙押込連の左端面に巻紙右側面を押しつけはめ込み巻紙左側面を左側基盤の回動歯形連の右端面にはめ込めれば巻紙は回動歯形連と巻紙押込連の間に支持される。
【０００６】  追従紙切板は巻紙の巻紙減量に追従しながら連関ばねで押込回動板を支持し、所用の際は押込回動板を手で抑えて動作し、扇状歯形板の扇状歯形が環状連かんの小歯車に歯み合い巻紙を受け持つ回動歯形連の回動歯車に伝動し巻紙を回動し巻紙端片を繰り出す。
【発明の効果】
【０００７】  省エネ簡単器械装置により単一動作（ワンショツト）で巻紙端片を繰り出し供用する。
【発明を実施するための最良の形態】
【０００８】  図１及び図２・図３に示す巻紙保持機器具１の左側基盤３の内部側面の所定位置にねじ軸孔を貫設した突起軸受４を形成し環状連かん５を突起軸受４の外周面に装入する。【０００９】  環状連かん５の内径は突起軸受４の外周径より大きく、突起軸受４の外周縁と環状連かん５の内径周縁の環状空間６の間隙幅内（約４粍乃至５粍幅）に渦巻ばね７を装入する。【００１０】  また図４に示す環状連かん５の外側面の円周中心線の所定位置に小歯車８を可動に付設し、さらに円周中心に沿った所定位置にテ−バピン状の支点軸９を環状連かん５を貫通し左側基盤３側面に先端を突立てけい着し支点軸９を支点に小歯車８を付した環状連かん５を環状空間６渦巻ばね７の間隙余裕の限度に扇状動作し、つぎに回動歯形連１０を突起軸受４に装着する。（小歯車８付設位置は図４に示す突起軸受４垂直中心線上面左側に傾斜５度位置及び支点軸９付設位置は図４の突起軸受４垂直軸と右上面間傾斜４５度位置）【００１１】  回動歯形連１０の左端円周面を傾斜縮径した傘歯形輪１１に、左端は回動歯車１２にし傘歯形輪１１と回動歯車１２の境界を巻紙留板１３にしたうえ中心軸孔１４を貫設する。【００１２】  ついで回動歯形連１０は可動にしかも回動歯車１２を環状連かん５の小歯車８と歯み合う事なく近接配置し回動芯軸ねじ１５で中心軸孔１４を挿通し突起軸受４に固着し配設。【００１３】  図２と図３に示す巻紙保持機器具１の右側基盤１６の左側面に左側基盤３の突起軸受４と対面所定位置に巻紙押込連１７の押込軸芯１８を装入する押込軸大穴１９を配設する。【００１４】  巻紙押込連１７は左端を放物線状皿２０に形成し一体となる押込軸芯１８の太径寸法を押込軸大穴１９の大穴軸受２１と滑動し右端の直径寸法を押込軸大穴１９の内径内近似値の鍔フランジ２２に形成し左端を放物線状皿２０に固着する皿取付ねじ２３を配設し押込軸芯１８の軸芯に伸縮ばね穴２４を穿設し押込軸芯１８を押込軸大穴１９にに装入する。【００１５】  先ず押込軸芯１８の伸縮ばね穴２４に鋼球２５を挿入しＴ形心棒２６の円盤面から挿入すれば巻紙押込連１７の回動求心性摩擦軽減に効果し、ついで伸縮ばね２７を装入する。【００１６】  図２及び図３に示す押込軸大穴１９の大穴軸受２１は挿入着容易に複数個に分割し、押込軸芯１８の鍔フランジ２２から押込軸大穴１９を挿通し伸縮ばね穴２４から突出した伸縮ばね２７の右端を右側基盤１６内の左側面に当接し、押込軸芯１８の皿取付ねじ２３の端面から一旦押し込み大穴軸受２１を順次に装着したうえ、押込軸芯１８を左方に復帰させれば伸縮ばね２７の伸張力で鍔フランジ２２が大穴軸受２１に当接し、ついで皿取付ねじ２３に放物線状皿２０を固着すれば巻紙押込連１７は所定回動と往復行程に可動する。（此際押込軸芯１８を右側基盤１６内落下防止に手持ねじ穴２８にビスを仮付けする。）【００１７】  巻紙・芯管２右端を放物線状皿２０に、巻紙・芯管２左端を回動歯形連１０に支持するようにして巻紙端片を送り出し回動する追従紙切板２９及び押込回動板３０を配設する。【００１８】  図１と各図に示す巻紙・芯管２の上縁に当接するように追従紙切板２９を配置し追従紙切板２９の両端軸心同一に連関ばね３２を装入し、連関��ね３２の両端に押込回動板３０を連設し押込回動板３０を追従紙切板２９に覆い配し連関ばね３２はその間に配置する。【００１９】  図３に示す連関ばね３２は追従紙切板２９と押込回動板３０の両端間隙にまたがり左右のばね巻込端３３を各々挿入し、左右のばね巻込端３３の下端内側から突出して連続したバネつる３４を追従紙切板２９の上面に当て同じく上端外側のバネつる３４は押込回動板３０の下面に当て、追従紙切板２９と押込回動板３０を突つ張り相互に連関する。【００２０】  図１と図２と図３に示す押込回動板３０の左端面の突起に扇状歯形板３５の作動突起穴３６を挿入し、押込回動板３０に扇状歯形板３５を添付併設する。【００２１】  扇状歯形板３５は押込回動板３０の取付軸穴３１と同一軸心を支点に扇状に展開しその端縁を扇状歯形３９（セグメントギア）に形成し環状連かん５の小歯車８と歯み合わす。【００２２】  追従紙切板２９と連関ばね３２と押込回動板３０及び扇状歯形板３５を巻紙保持機器具１に挿着する。（上記の部位を配設する場合は前もって柔軟性仮組紐に挿入しておく。）【００２３】  図１及び各図に示すように巻紙保持機器具１本体の左側外面の所定位置と、同位置から水平軸の右側基盤１６の左側面の対象所定位置の両面に主支点軸３７を孔設し、前記の追仮組しておいた追従紙切板２９と連関ばね３２と押込回動板３０と扇状歯形板３５を両端の主支点軸孔３７の間に仮架設し、巻紙保持機器具１の本体側の主支点軸孔３７から主芯軸３８を扇状歯形板３５の左端に挿入、ついで押込回動板３０に挿入し、つぎに連関ばね３２に、さらに追従紙切板２９と左端側から挿入しその都度ごとに仮組紐を引抜いてゆき主芯軸３８を貫通し、その右端を右側基盤１６の主支点軸孔３７に装着し留金具で固定し所定位置に装着する。（前述してきた仮組紐は自動量産の場合はこのかぎりではない。）【００２４】  図１・図２・図３及び図４・図５・図６に示すように追従紙切板２９と押込回動板３０及び扇状歯形板３５は連関ばね３２により主芯軸３８を支点にし開扇状（仰角１０度）に設定し、同時的に動作し追従紙切板２９の先端縁は巻紙・芯管２の上縁に当接し押込回動板３０は主芯軸３８中心から先端縁の長手方向幅を追従紙切板２９よりせまくし扇状歯形３９を環状連かん５の小歯車８と歯合い動作伝達し巻紙・芯管２に回動を行はせしめる。
【実施例】
【００２５】  図１に示す巻紙保持機器具１を所用現場の手近な位置に器具取付穴４０でねじ留め装着して巻紙・芯管２を挿入、使用の際は押込回動板３０及び扇状歯形板３５を手動で抑え込めば歯形が小歯車８に一時歯み合い回動歯形連１０と放物線状皿２０に挿着した巻紙・芯管２の端片を繰り出し手動で任意の長さに引っ張りだし追従紙切板２９の先端縁で切離し押込回動板３０から手を離せば歯形類の歯み合いを解除し原状に復帰するものである。【００２６】  図１及び図４と図６に示す追従紙切板２９と押込回動板３０及び扇状歯形板３５は連関ばね３２の支持拡張で開扇し追従紙切板２９の先端縁が柔軟な巻紙・芯管２と摺動接触し軽量でもよく巻紙・芯管２の巻紙数減少に追従しながら押込回動板３０の作動を果たす。【００２７】  図１及び図２に示す巻紙・芯管２を下方より挿入し、放物線状皿２０に巻紙・芯管２を押あてると共に追従紙切板２９の先端縁にも当て一層に押し込んで巻紙・芯管２右端を放物線状皿２０の中心にはめ込み押しつけながら一旦右方向側に押込む一方、巻紙・芯管２の左端側の芯穴を回動歯形連１０の傘歯形輪１０にはめこみ挿入すれば放物線状皿２０は左方向の押圧力で巻紙・芯管２は回動歯形連１０と放物線状皿２０の間に挿着される。【００２８】  図１及び図５・図６に示す押込回動板３０及び扇状歯形板３５を手動で押し込めば主芯軸３８を支点にして扇状降下しながら小歯車８に歯み合い押圧力で環状連かん５と小歯車８は支点軸９を支点に極僅かに降下し小歯車８は回動歯車１２に歯み合い押込回動板３０の押し込み動作で回動歯形連１０の回動歯車１２に回動力として伝達し、傘歯形輪１１と傘歯形輪１１に挿着した巻紙・芯管２は所定の長さの端片を繰り出す。（記述の巻紙端片の所定長さは追従紙切板２９と押込回動板３０及び扇状歯形板３５との押し込みの仰角設定値１０度で歯形機構を経て巻紙の新品から残余間際まで約４０粍乃至２５粍である。）【００２９】  押込回動板３０及び扇状歯形板３５の押し込中は扇状歯形３９が小歯車８に押付け歯み合い、環状連かん５は支点軸９により下向になり小歯車８は回動歯車１２に一時的に歯み合い所定の動作で巻紙端片を繰り出すが、押込回動板３０と扇状歯形板３５の押し込み停止と共に小歯車８に対する押圧も解消し環状連かん５の環状空間６に装入した渦巻ばね７の拡張動作により環状連かん５は支点軸９を支点にして元位置に復帰し小歯車８は回動歯形連１０の回動歯車１２との歯み合いから離脱し巻紙・芯管２は自在に回動可能になる。（扇状歯形板３５の扇状歯形３９と環状連かん５の小歯車８を歯合離脱の容易に設定し、また歯み合いの激しい部位は摩耗に強い硬質合成樹脂あるいは金属材料を使用する。）【００３０】  ついで繰り出した巻紙先端を引っ張り出し任意の長さに追従紙切板２９で切り離なして使用後に押込回動板３０及び扇状歯形板３５から手ばなせば元位置に復帰する。ついでながら前述してきた実施手段をおこない後続者所用に巻紙端片を繰り出しおくこともよい。
【産業上の利用可能性】
【００３１】  巻紙保持機器具は文化的衛生健康生活必需品で公共私的住居の設備産業量産品である。
【図面の簡単な説明】
【００３２】
【図１】  巻紙保持機器具の一部を省略し簡単にした要部図示全体斜視図。
【図２】  巻紙保持機器具の一部を省略し簡単にした要部図示正面図。
【図３】  巻紙保持機器具の一部を省略し簡単にした要部図示組込立体図。
【図４】  巻紙保持機器具の図２Ａ−Ａ線に沿う一部省略要部実施側面図。
【図５】  巻紙保持機器具の図２Ｂ−Ｂ線に沿う一部省略要部実施側面図。
【図６】  巻紙保持機器具の図５につづく一部省略簡単にした実施側面図。
【符号の説明】
【００３３】  １    巻紙保持機器具
２    巻紙・芯管
３    左側基盤
４    突起軸受
５    環状連かん
６    環状空間
７    渦巻ばね
８    小歯車
９    支点軸
１０  回動歯形連
１１  傘歯形輪
１２  回動歯車
１３  巻紙留板
１４  中心軸孔
１５  回動芯軸ねじ
１６  右側基盤
１７  巻紙押込連
１８  押込軸芯
１９  押込軸大穴
２０  放物線状皿
２１  大穴軸受
２２  鍔フランジ
２３  皿取付ねじ
２４  伸縮ばね穴
２５  鋼球
２６  Ｔ形心棒
２７  伸縮ばね
２８  手持ねじ穴
２９  追従紙切板
３０  押込回動板
３１  取付軸穴
３２  連関ばね
３３  ばね巻込端
３４  バネつる
３５  扇状歯形板
３６  作動突起穴
３７  主支点軸孔
３８  主芯軸
３９  扇状歯形
４０  器具取付穴
【図１】
2009106717.tif 000003
【図２】
2009106717.tif 000004
【図３】
2009106717.tif 000005
【図４】
2009106717.tif 000006
【図５】
2009106717.tif 000007
【図６】
2009106717.tif 000008